(57)【要約】【課題】野球、サッカーの競技チームなどのひいきチームに対して各種趣向を凝らした応援をすることができるとともに、自己がそのチームのファンであることを意思表示したい欲求、また、そのひいきチームに属する仲間意識を喚起したい欲求を満たすのに好適なクリアブックを提供する。【解決手段】本発明に係るクリアブック10は、特定のチーム、キャラクター、イベントを表すイメージカラー20及び／又は１以上の標記ａ15が、表紙、背表紙及び裏表紙のうち一ケ所以上に付された表紙部11と、少なくとも、前記表紙部11に付されたイメージカラー20及び／又は１以上の標記ａ15と特別な関係にあるイメージカラー20が付された、前記表紙部11内に取り付けられた複数の透明な収納袋12と、を備えてなる。【選択図】図１
2019155617.tif 000002
【特許請求の範囲】
【請求項１】
特定のチーム、キャラクター、イベントを表すイメージカラー及び／又は１以上の標記ａが、表紙、背表紙及び裏表紙のうち一ケ所以上に付された表紙部と、
少なくとも、前記表紙部に付されたイメージカラー及び／又は１以上の標記ａと特別な関係にあるイメージカラーが付された、前記表紙部内に取り付けられた複数の透明な収納袋と、
を備え、
前記表紙部のイメージカラーが下記（Ａ）群、標記ａが下記（Ｂ）群に示されるいずれか１つであり、
前記収納袋のイメージカラーが下記（Ｃ）群に示されるいずれか１つであるクリアブック。
（Ａ）第１イメージカラー，第２イメージカラー
（Ｂ）チーム名，ロゴマーク，ペットマーク，スローガン
（Ｃ）第１イメージカラー，第２イメージカラー
【請求項２】
前記収納袋は、前面及び／又は裏面の所定位置にチーム名、ゴマーク、ペットマーク、スローガンのうち少なくともいずれか１つが切抜き、型押し又は箔押しにより付されていることを特徴とする請求項１に記載のクリアブック。
【請求項３】
前記収納袋は、左右の収納袋の開口部が対向するように設けられていることを特徴とする請求項１又は請求項２に記載のクリアブック。
【発明の詳細な説明】
【技術分野】
【０００１】
本発明は、競技チーム、例えば、野球やサッカーなどのひいきのチームに対する応援やそのチームとの一体感を発揮させるために好適に使用できるクリアブックに関する。
【背景技術】
【０００２】
書類等を収納する文房具として、表紙、背表紙及び裏表紙からなる表紙部の内側に複数の透明な収納袋を備えたクリアブックが広く使用されている。クリアブックは、多様なものが提案されており、書類等を収納する用途以外にも広く使用されている。なおクリアブックは、クリアファイルとも呼ばれている。
【０００３】
例えば、特許文献１には、多様な使用方法、活用方法が可能なファイルとして、クリアファイルとホワイトボードとを備え、さらにホワイトボード専用の筆記具と字消しを収納したケースを装着したファイルが提案されている。
【０００４】
特許文献２には、収納される用紙に記載された内容が透けて視認されるように構成された、複数の袋部を有するファイルであって、前記複数の袋部は、プレゼンテーション用のアプリケーションで使用されるページに対応付けられた、それぞれで異なるコード化パターンが形成されているファイルが提案されている。
【０００５】
ところで、野球場やサッカー場で、ひいきのチームや選手に対して、その名前、激励文又はイラストなどを表示したボードや幕をかざし、また振りながら応援する光景がしばしば観察される。かかる応援に対し、統一性があり視覚的効果の高い応援を行うことができる応援ボードが提案されている。例えば、特許文献３に、ボード本体の一面が、チームキャラクター等が印刷された印刷化粧面となされる一方、他面が消去自在なホワイトボード状筆記面となされ、少なくとも二つ折以上に折り畳み自在となされてなる応援用ボードが提案されている。
【先行技術文献】
【特許文献】
【０００６】
【特許文献１】特開2004-299412号公報
【特許文献２】特開2012-98937号公報
【特許文献３】特開2002-169476号公報
【発明の概要】
【発明が解決しようとする課題】
【０００７】
野球やサッカーなどのひいきチームに対する応援において、応援するチームや選手に応援の熱意が届き、また応援する者の存在を知らしめるために、今日、視覚的要素が重要になっている。また、これらの競技は長時間に亘って行われるので、種々の態様、各種趣向を凝らした応援をしたいところである。しかしながら、特許文献３に記載の応援用ボードにおいては、かかる要求を満たすことは困難である。特許文献１又２に記載のクリアブック等は、事務用品として使用されることをその本質的な機能としており、かかる要求に応えるには不十分である。
【０００８】
また、野球、サッカーの競技チームなどのひいきチームがある場合には、自己がそのチームのファンであることを意思表示したい欲求があり、また、そのひいきチームに属する仲間意識を喚起したい欲求がある。かかる欲求を満たすとともに、上記各種趣向を凝らした応援を支援する適当なものが求められている。
【０００９】
本発明は、このような従来の問題点又は要請に鑑み、野球、サッカーの競技チームなどのひいきチームに対して各種趣向を凝らした応援をすることができるとともに、自己がそのチームのファンであることを意思表示したい欲求、また、そのひいきチームに属する仲間意識を喚起したい欲求を満たすのに好適なクリアブックを提供することを目的とする。
【課題を解決するための手段】
【００１０】
本発明に係るクリアブックは、特定のチーム、キャラクター、イベントを表すイメージカラー及び／又は１以上の標記ａが、表紙、背表紙及び裏表紙のうち一ケ所以上に付された表紙部と、少なくとも、前記表紙部に付されたイメージカラー及び／又は１以上の標記ａと特別な関係にあるイメージカラーが付された、前記表紙部内に取り付けられた複数の透明な収納袋と、を備えてなり、前記表紙部のイメージカラーが下記（Ａ）群、標記ａが下記（Ｂ）群に示されるいずれか１つであり、前記収納袋のイメージカラーが下記（Ｃ）群に示されるいずれか１つであるクリアブックである。
（Ａ）第１イメージカラー，第２イメージカラー
（Ｂ）チーム名，ロゴマーク，ペットマーク，スローガン
（Ｃ）第１イメージカラー，第２イメージカラー
【００１１】
本発明に係るクリアブックにおいて、収納袋は、前面及び／又は裏面の所定位置にチーム名、ロゴマーク、ペットマーク、スローガンのうち少なくともいずれか１つが切抜き、型押し又は箔押しにより付されているものとすることができる。
【００１２】
また本発明に係るクリアブックにおいて、収納袋は、左右の収納袋の開口部が対向するように設けられているものとすることができる。
【発明の効果】
【００１３】
本発明は、野球、サッカーの競技チームなどのひいきチームに対して各種趣向を凝らした応援をすることができるとともに、自己がそのチームのファンであることを意思表示したい欲求、また、そのひいきチームに属する仲間意識を喚起したい欲求を満たすのに好適なクリアブックを提供することができる。また、本発明は、野球、サッカーの競技チームなどのひいきチームに限定されず、趣味グループの集まり又はイベントであっても同様に好適に使用することができるクリアブックを提供することができる。
【図面の簡単な説明】
【００１４】
【図１】本発明に係るクリアブックの外観を示す図面である。
【図２】本発明に係るクリアブックの表紙部を示す図面である。
【図３】本発明に係るクリアブックの収納袋側部分を示す図面である。
【図４】本発明に係るクリアブックの使用態様を示す図面である。
【図５】本発明に係るクリアブックの他の使用態様を示す図面である。
【発明を実施するための形態】
【００１５】
以下、本発明を実施するための形態について説明する。本発明に係るクリアブックは、特定のチーム、キャラクター、イベントを表すイメージカラー及び／又は１以上の標記ａが、表紙、背表紙及び裏表紙のうち一ケ所以上に付された表紙部と、少なくとも、前記表紙部に付されたイメージカラー及び／又は１以上の標記ａと特別な関係にあるイメージカラーが付された、前記表紙部内に取り付けられた複数の透明な収納袋と、を備えてなる。
【００１６】
すなわち、表紙、背表紙及び裏表紙からなる表紙部において、その表紙、背表紙又は裏表紙のうち一ケ所以上にイメージカラー又は標記ａが付されている。または、表紙、背表紙又は裏表紙のうち一ケ所以上にイメージカラーと標記ａとが付されている。
【００１７】
イメージカラーは、特定のチーム、キャラクター、イベント（以下、チーム等と記す）において継続的に使用され、チーム等を表すものとして認知された色、あるいはチーム等を強くイメージさせる色である。ここではイメージカラーとして、第１イメージカラー、第２イメージカラーがある。チーム等によっては、イメージカラーが第１イメージカラーのみの場合もあり、第１イメージカラー及び第２イメージカラーを有する場合もある。
【００１８】
例えば、特定のチームが野球チームのなかの広島東洋カープである場合は、第１イメージカラーを赤色、第２イメージカラーを白色とすることができる。また、特定の野球チームが阪神タイガースである場合は、第１イメージカラーを黄色、第２イメージカラーを黒色とすることができる。イメージカラーは、通常、表紙、背表紙又は裏表紙の基調色として付されるが、それらの素材地に線状又は縞状に付されることもある。また、イメージカラーは、標記ａに付されることもある。
【００１９】
第１イメージカラーは、複数の色の組み組合せからなる場合（以下色彩群と記す）もある。この場合には色彩群で第１イメージカラーが形成される。つまり第１イメージカラーは単色に限定されるものではなく、通常の態様において色彩群として使用される場合には、複数の色の組み合せからなるものであってもよい。色彩群からなる第１イメージカラーとしては、オリンピックマークの五色（青、黄、黒、緑、赤）がある。
【００２０】
標記ａは、チーム名、ロゴマーク、ペットマーク又はスローガン（以下、チーム名等と記す）の何れかの１つである。すなわち、標記ａは、特定のチーム、キャラクター、イベントにおいてそのものを表示するものとして採用、使用又は認知されているチーム名、ロゴマーク、ペットマーク又はスローガンである。
【００２１】
ロゴマークとは、チーム名・会社名・商品名などを独特の字体・デザインで表したものをいい、ペットマークは、シンボルマーク、マスコット、キャラクター等を表示した図形をいう。例えば、特定のチームが野球チームのなかの広島東洋カープである場合は、「カープ坊や」をペットマークとすることができる。スローガンは、ある団体・運動の主張を簡潔に表した標語、応援・激励メッセージに使用されるキャッチフレーズ等が含まれる。
【００２２】
上記の通りイメージカラーと標記ａとは、共にチーム等を表すものとして採用、使用又は認知されており、これらの間には密接な関係がある。
【００２３】
収納袋は、通常のクリアブックと同様に、プラスチックフィルムで形成された複数の透明な袋が背表紙の裏側に重ねて固着されてなるものを使用することができる。ここで使用する収納袋は、収納袋自体に色が付されているが、ベース素材は従来のクリアブックの収納袋と同じものを使用することができ、収納袋の数も特に限定されない。収納袋に付す色については後述する。
【００２４】
収納袋は、固定式のものであっても脱着式のものであってもよく、固定式クリアブック、取替え式クリアブックと呼ばれる型式のものを使用することができる。収納袋は、表紙部の見開きの左右に設けられている。収納物を出し入れするための開口部は、左右に対向するように設けることができ、または、クリアブックの上縁側又は側縁側にそれぞれ設けることができる。
【００２５】
収納袋には、表紙部に付されるイメージカラー及び／又は１以上の標記ａと特別な関係にあるイメージカラーが全面に付される。収納袋に付されるイメージカラーは、第１イメージカラー又は第２イメージカラーであり、このイメージカラーは、表紙部に付される第１イメージカラー又は第２イメージカラーと同じである。表紙部に付されるイメージカラー等と収納袋に付されるイメージカラーとの関係は以下のようになる。
【００２６】
例えば表紙部に第１イメージカラー（又は第２イメージカラー）が付されていれば、収納袋にも第１イメージカラー（又は第２イメージカラー）が付される。また表紙部に第２イメージカラーが付され、収納袋に第１イメージカラーが付される場合もある。具体例を示せば、特定のチームが野球チームのなかの広島東洋カープである場合は、表紙部が第１イメージカラーの赤色、収納袋が第２イメージカラーの白色となる。
【００２７】
また表紙部に標記ａが付され、収納袋に第１イメージカラーが付される例としては、特定のチームが野球チームのなかの広島東洋カープであれば、表紙部にチームのロゴマーク「Ｃａｒｐ」、「カープ坊や」が付され、収納袋に第１イメージカラーの赤色が付される。イベントがオリンピックであれば、表紙部にオリンピックマークが付され、収納袋に第１イメージカラーとして青、黄、黒、緑、赤の五色が付される。第１イメージカラーが色彩群の場合、各収納袋には一色のみ付すようにしてもよい。
【００２８】
収納袋は、全ての収納袋にイメージカラーを付することを原則とするが、複数の収納袋のうち一部の収納袋を無色透明としてもよい。色は、色を付する相手先、つまり表紙部、収納袋の素材により見え方も異なる。このため表紙部に第１イメージカラーが付され、収納袋にも第１イメージカラーが付される場合、表紙部の第１イメージカラーと収納袋の第１イメージカラーとは実質的に同一とみなされるものであればよい。
【００２９】
収納袋に付される第１イメージカラー又は第２イメージカラーは、収納袋に収容された収容物を外から視認可能に付されている必要がある。つまり収納袋は、第１イメージカラー又は第２イメージカラーが付された後も透明である必要がある。
【００３０】
上記のように表紙部に付されるイメージカラー等と収納袋に付されるイメージカラーとの間には、前者がチーム等の第１イメージカラー、後者がチーム等の第１イメージカラー、あるいは前者がチーム等の第２イメージカラー、後者がチーム等の第１イメージカラー、あるいは前者がチーム等のペットマーク、後者がチーム等の第１イメージカラーであるなど、特別な関係がある。
【００３１】
本発明に係るクリアブックは、表紙部とこれに備えられる収納袋が、特定のチーム、キャラクター、イベントにおいてそれを表示するものとして採用、使用又は認知されているイメージカラー及び／又は標記ａが付されているので、それ自体でもって、当該クリアブックの所有者がそのチーム等のファンであることが表示され、また、そのひいきチーム等に属する仲間意識を喚起することができ、これを振りかざしてそのチーム等を応援・支援することができる。このようなクリアブックは、購買意欲を刺激する。
【００３２】
しかして、このクリアブックの収納袋に応援シートを収納し、これを応援ボードとし、振りかざして応援・支援すると効果的である。本クリアブックには多数の応援シートを収納することができる。このため、本クリアブックによれば各種趣向を凝らした応援をすることができる。かかる応援シートの収納方法を考慮すると、クリアブックは、左右の収納袋の開口部が対向するように設けられているものが好ましい。クリアブックがＡ４サイズのものであれば、Ａ３サイズの大判の応援シートを収納して応援時にこれを使用することができる。
【００３３】
本発明に係るクリアブックの収納袋に応援シートを収納し、広島東洋カープを応援する場合、クリアブックの収納袋を第１イメージカラーの赤色とすることができる。このようにすれば白色の紙に応援メッセージを記載した応援シートを収納袋に収納するだけで、外からは全体が赤く見えるので簡単に応援ボードを作成することができる。これにより応援シートの背景色を赤く塗り潰す必要がなくなる。
【００３４】
本発明に係るクリアブックは、収納袋にイメージカラーが付されているが、構造は従来のクリアブックと同じであり、さらに収納袋が透明であるので従来のクリアブックと同様に文房具として使用できる。
【００３５】
また、本クリアブックは、収納袋の前面及び／又は裏面の所定位置にチーム名、ロゴマーク、ペットマーク、スローガンなどが付されているのが好ましい。これにより、本クリアブックの所有者は、さらに、ファンであることを意思表示することができ、趣向を凝らした応援をすることができる。所定位置は、一般的に収納袋の下の角、収納袋の上の角である。
【００３６】
収納袋の前面及び／又は裏面に付するチーム名、ロゴマーク、ペットマーク、スローガンなどはいずれか１つ以上設けることができ、収納袋に対して切抜き、型押し又は箔押しなどにより設けることができる。チーム名、ロゴマーク、ペットマーク、スローガンなどの大きさは特に限定されるものではないが、極端に大きくすると収納物の外部からの視認が妨げられるため好ましくない。
【００３７】
上記説明では、チーム等として野球チームを例として説明したが特定のキャラクター、特定のイベントなどについても野球チームと同様に考えることができる。このようなクリアブックは、趣味グループの集まり又はイベントに好適に使用することができる。
【００３８】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【実施例】
【００３９】
図１に本発明に係るクリアブックの実施例を示す。本クリアブック10は、図１に示すように、表紙11a、背表紙11b及び裏表紙11cからなる表紙部11と、当該表紙部内に取り付けられた複数の透明な収納袋12を備えている。クリアブック10において、イメージカラー20は、第１イメージカラー21が赤色、第２イメージカラー22が白色とされ、表紙部11には第２イメージカラー22が付され、収納袋12には第１イメージカラー21が付されている。標記ａ15として、「Cool」なるチーム名又はロゴマーク151が付され、ここにはイメージカラー20として第１イメージカラー21の赤色が付されている。
【００４０】
図２は、本発明に係るクリアブックの表紙部11を示す。本例のクリアブック10は、第１イメージカラー21が赤色、第２イメージカラー22が白色とされ、説明部16を除いて、表紙11a、背表紙11b及び裏表紙11cの全体に第１イメージカラー21が付されている。そして、チーム名又はロゴマーク151には第２イメージカラー22が付され、第２イメージカラー22が付された地にペットマーク152及びスローガン153が表されている。ペットマーク152及びスローガン153には第１イメージカラー21が付されている。説明部16は、特定のチーム、キャラクター、イベントに関する事項、あるいは、クリアブック10に関する製造・販売に関する事項が記載される。説明部16の地の色は特に限定されない。
【００４１】
図３は、本発明に係るクリアブックの収納袋の例を示している。表紙部11の内側に収納袋12が備えられており、表紙部11の見開きの右側収納袋の右隅部にペットマーク152が付されている。図４又は図５は収納袋12に応援シート18を収納した様子を示す。図４の応援シート18には、チーム名又はロゴマーク151及びスローガン153が付されている。応援シート18には、チーム名又はロゴマーク151、ペットマーク152又はスローガン153、または、それらに準じたマーク等を付することができる。また、応援シート18には、上記イメージカラーを付することができる。図５には、スローガン153が付された大判の応援シート18が収納袋12に収納されている。そして、この応援シート18は、収納袋12に付されたペットマーク152が効果的に用いられている。
【符号の説明】
【００４２】
10    クリアブック
11    表紙部
12    収納袋
15    標記ａ
151  チーム名又はロゴマーク
152  ペットマーク
153  スローガン
16    説明部
18    応援シート
20    イメージカラー
21    第１イメージカラー
22    第２イメージカラー
【図１】
2019155617.tif 000003
【図２】
2019155617.tif 000004
【図３】
2019155617.tif 000005
【図４】
2019155617.tif 000006
【図５】
2019155617.tif 000007